(57)【要約】【課題】箱を設置する部分の大きさを調節可能にすることにより多様な大きさの箱を設置可能とするボックススタンドを提供する。【解決手段】箱と蓋とからなる保持対象物の箱を支持する支持部３と、蓋を保持する保持部４と、支持部３及び保持部４を支持する支柱部２とを有する。支持部３は、支柱部２に上下にスライド移動可能に取り付けられ、支持部３には、スライド部３ｂが箱の幅方向にスライド移動可能に設けられている。スライド部３ｂは、そのスライド移動に従って、箱の幅方向の側面に接離する端部を備えている。保持部４は、支柱部２に回動可能に取り付けられ、保持部４には、蓋の端部を固定的に保持する固定部４ａ，４ｂが設けられている。【選択図】図１
0003119341.tif 000002
【実用新案登録請求の範囲】
【請求項１】
箱と蓋とからなる保持対象物の箱を支持する支持部と、蓋を保持する保持部と、前記支持部及び前記保持部を支持する支柱部とを有するボックススタンドにおいて、
前記支持部は、前記支柱部に上下にスライド移動可能に取り付けられ、
前記支持部には、スライド部が箱の幅方向にスライド移動可能に設けられ、
前記スライド部は、そのスライド移動に従って、箱の幅方向の側面に接離する端部を備え、
前記保持部は、前記支柱部に回動可能に取り付けられ、
前記保持部には、蓋の端部を固定的に保持する固定部が設けられていることを特徴とするボックススタンド。
【請求項２】
前記支持部のスライド部は、箱の幅方向の一方にのみ出入りするように、往復動可能に設けられていることを特徴とする請求項１記載のボックススタンド。
【請求項３】
前記保持部は、蓋の奥行き方向にスライド移動可能に設けられたスライド部と、
前記スライド部を、その端部が蓋の手前側を保持する方向に付勢する付勢部材と、
を有することを特徴とする請求項１又は請求項２記載のボックススタンド。
【請求項４】
前記固定部は、前記蓋の幅方向の側面のうち、少なくとも１側面が解放される位置に設けられていることを特徴とする請求項１〜３のいずれか１項に記載のボックススタンド。
【請求項５】
前記脚部に回動可能に設けられ、足により操作可能なペダル部材と、
前記ペダル部材の回動に従って、前記保持部に保持された前記蓋が開閉するように、前記保持部と前記ペダル部材とを連結する連結手段が設けられていることを特徴とする請求項１〜４のいずれか１項に記載のボックススタンド。
【請求項６】
前記支持部、前記保持部若しくは前記支柱部を構成する部材の少なくとも一部が、パイプにより形成されていることを特徴とする請求項１〜５のいずれか１項に記載のボックススタンド。
【考案の詳細な説明】
【技術分野】
【０００１】
本考案は、保持対象物である箱を設置するスタンドに係り、例えば、医療用廃棄物のゴミ箱を使用するためのボックススタンドに関する。
【背景技術】
【０００２】
従来から、ゴミ袋やゴミ箱を保持するスタンドが提案されている。このようなスタンドは、例えば、特許文献１に示すように、袋を開口状態として、スタンド上部に取り付けるように構成されている。
【特許文献１】実開平０４−７２９０４号公報
【考案の開示】
【考案が解決しようとする課題】
【０００３】
ところで、対象となるゴミが医療用廃棄物などのように安全性を確保する必要がある場合には、袋ではなく、ある程度の強度のある箱を、ゴミ容器として使用する必要がある。その場合、上記のようなスタンドに、所定の箱を取り付けることが考えられる。しかし、上記のスタンドでは、箱を設置するための部分が固定されているので、設置部分と合致する一定の幅や深さを有する箱にしか対応できない。つまり、従来のスタンドでは、箱の設置部分の大きさを適宜調節することができないので、設置可能な箱の大きさが限定される。
【０００４】
本考案は、上記のような課題を解決するもので、その目的は、箱を設置する部分の大きさを調節可能にすることにより、多様な大きさの箱を設置可能とするボックススタンドを提供することにある。
【課題を解決するための手段】
【０００５】
上記の目的を達成するため、請求項１の考案は、箱と蓋とからなる保持対象物の箱を支持する支持部と、蓋を保持する保持部と、前記支持部及び前記保持部を支持する支柱部とを有するボックススタンドにおいて、前記支持部は、前記支柱部に上下にスライド移動可能に取り付けられ、前記支持部には、スライド部が箱の幅方向にスライド移動可能に設けられ、前記スライド部は、そのスライド移動に従って、箱の幅方向の側面に接離する端部を備え、前記保持部は、前記支柱部に回動可能に取り付けられ、前記保持部には、蓋の端部を固定的に保持する固定部が設けられていることを特徴とする。
【０００６】
以上のような考案では、幅や深さの異なる箱であっても、これに合せて支持部を上下動させたり、スライド部を幅方向に移動させたりすることによって、確実に設置することができる。
【０００７】
請求項２の考案は、請求項１のボックススタンドにおいて、前記支持部のスライド部は、箱の幅方向の一方にのみ出入りするように、往復動可能に設けられていることを特徴とする。
以上のような考案では、支持部のスライド部は、箱の幅方向の一方にのみスライドさせれば調節できるので、双方向を調節する場合に比べて、箱に合せた調節が容易となる。
【０００８】
請求項３の考案は、請求項１又は請求項２のボックススタンドにおいて、前記保持部は、蓋の奥行き方向にスライド移動可能に設けられたスライド部と、前記スライド部を、その端部が蓋の手前側を保持する方向に付勢する付勢部材と、を有することを特徴とする。
以上のような考案では、保持部によって蓋を保持する際には、スライド部を手前に引き、蓋の端部に合せて離すだけで、付勢部材の付勢力が働いてスライド部が蓋を保持するので、多少の大きさの相違があっても、確実に保持することができる。
【０００９】
請求項４の考案は、請求項１〜３のいずれか１項のボックススタンドにおいて、前記固定部は、前記蓋の幅方向の側面のうち、少なくとも１側面が解放される位置に設けられていることを特徴とする。
以上のような考案では、保持部は、蓋の幅方向の側面のうち、少なくとも１側面を解放しているので、蓋の幅の相違があっても、これに左右されずに、簡単に蓋を保持することができる。
【００１０】
請求項５の考案は、請求項１〜４のいずれか１項のボックススタンドにおいて、前記脚部に回動可能に設けられ、足により操作可能なペダル部材と、前記ペダル部材の回動に従って、前記保持部に保持された前記蓋が開閉するように、前記保持部と前記ペダル部材とを連結する連結手段が設けられていることを特徴とする。
以上のような考案では、ペダルを足で踏むことによって、蓋の開閉が可能となるので、蓋の開閉に手を使用する必要がなく、衛生上好ましい。
【００１１】
請求項６の考案は、請求項１〜５のいずれか１項のボックススタンドにおいて、前記支持部、前記保持部若しくは前記支柱部を構成する部材の少なくとも一部が、パイプにより形成されていることを特徴とする。
以上のような考案では、一部がパイプにより構成されているので、軽量且つ安価に製造できる。また、パイプ部分は手で持ち易いため、運搬が容易となる。
【考案の効果】
【００１２】
以上のように、本考案のボックススタンドによれば、箱を設置する部分の大きさを調節可能にすることにより、多様な大きさの箱を設置可能となるボックススタンドを提供できる。
【考案を実施するための最良の形態】
【００１３】
次に、本考案のボックススタンドを実施するための最良の実施形態について、図面を参照して説明する。
［１．構成］
まず、本実施形態の構成を説明する。なお、図１は、本実施形態の全体構成を示す斜視図である。同図に示すように、本実施形態は、脚部１、支柱部２、支持部３、保持部４及びペダル部５によって構成されている。なお、本実施形態に設置される保持対象物は、図７、８に示すように、直方体形状の箱Ｂ１であり、上部開口を塞ぐための蓋Ｂ２が独立した構成となっている。
【００１４】
脚部１は、図１〜３に示すように、接地されるコの字型のパイプである脚部材１ａと、脚部材１ａの上に他の部材を支えるパイプである脚部材１ｂ，１ｂ’，１ｃ,１ｃ'、部材間の連結用の連結部１２，１５を有している。脚部材１ｂ，１ｂ’，１ｃ，１ｃ'は２本ずつ左右対称に形成され、連結部１２により連結されている。さらに、脚部材１ｂ，１ｂ’の間を渡すように、連結部１５が設けられている。
【００１５】
支柱部２は、直線状のパイプである支柱部材２ａ，２ｂを備える。この支柱部材２ａ，２ｂの下端は、脚部１における連結部１２の上に、垂直方向に取り付けられている。支持部３は、固定部３ａ、スライド部３ｂ、ネジ６ａ、スライド部２３及びネジ６ｂを備えている。固定部３ａ、スライド部３ｂ，２３は、パイプによって形成されている。固定部３ａは、箱の底面及び幅方向の一方の側面を支持する部材であり、スライド部２３に固定されている。
【００１６】
スライド部３ｂは、図４に示すように、箱Ｂ１の底面及び幅方向の他方の側面を支持する部材であり、固定部３ａよりも細く、その端部が固定部３ａ内に挿入されることにより、水平方向にスライド移動可能に設けられている。そして、スライド部３ｂは、所望の位置において、ネジ６ａにより固定部３ａに対して固定されるように構成されている。また、スライド部２３は、支柱部材２ａ，２ｂにスライド移動可能に取り付けられ、所望の位置において、ネジ６ｂにより支柱部材２ａ，２ｂに対して固定されるように構成されている。
【００１７】
保持部４は、固定部４ａ、スライド部４ｂ、固定部４ｃ、バネ７を備えている。固定部４ａ，４ｃは、蓋Ｂ２の後方の端部と、幅方向の一方の端部とを保持するように構成されている。固定部４ａは、その後方端において、支柱部２の上端と回動可能に連結されている。スライド部４ｂは、固定部４ａに対して、蓋Ｂ２の奥行き方向にスライド移動可能に設けられている。スライド部４ｂは、固定部４ａとの間に配設されたバネ７によって、奥側に付勢されている。なお、固定部４ａ，４ｃとスライド部４ｂにおける蓋Ｂ２の保持部分は、蓋に係合するように断面がコの字状となっている。
【００１８】
ペダル部５は、連結部材５ａとペダル部材５ｂとを備える。連結部材５ａは直線形状で、上端が保持部４に回動可能に連結され、下端がペダル部材５ｂの奥側の端部に回動可能に連結されている。そして、ペダル部材５ｂは、連結部１５を支点として回動可能に設けられており、手前側の端部を踏むと、後端が連結部材５ａを押し上げ、保持部４が上方に回動するように構成されている。
【００１９】
［２．作用効果］
以上のような構成からなる本実施形態の作用効果は次のとおりである。
［箱の取り付け］
まず、箱Ｂ１を取り付ける際には、スライド部３ｂを当該箱の幅よりも広くスライド移動させ、支持部に箱Ｂ１を置いた後、スライド部３ｂを箱Ｂ１の幅に合わせて動かし、ネジ６ａで固定する。さらに、支持部３を箱Ｂ１の上下方向の深さに合わせて上下動させ、箱Ｂ１の上端部分に、保持部４に保持された箱Ｂ１の蓋Ｂ２がかぶさる位置でネジ６ｂにより固定する。
【００２０】
このように、スライド部３ｂやスライド部２３をスライド移動させることにより、箱Ｂ１の幅や深さが異なっていても、確実に設置することが可能となる。しかも、スライド部３ｂ一つをスライドさせるだけで、支持部３の幅方向の調節が実現できるので、幅方向の両側を調節する場合に比べて、作業が容易となる。
【００２１】
［蓋の取り付け］
次に、保持部４に箱Ｂ１の蓋Ｂ２を取り付ける際には、スライド部４ｂを蓋Ｂ２の前端よりも手前側に出るように引き付ける。蓋Ｂ２の前端にスライド部４ｂが引っかかるように手を離すと、バネ７の力によりスライド部４ｂが蓋Ｂ２を保持する。固定部４ｃは、蓋Ｂ２の幅方向の一方の側面のみを保持するため、反対側面に当たる部分は開放されており、異なる幅の蓋Ｂ２であっても簡単に取り付けることができる。
【００２２】
また、固定部４ａ，４ｃとスライド部４ｂにおける蓋Ｂ２の保持部分は、断面がコの字状となっているので、後述するように、蓋Ｂ２の開閉が行われる際には確実に保持することができ、蓋Ｂ２の開閉をスムーズに行うことができる。
【００２３】
［蓋の開閉］
蓋Ｂ２の開閉は次のように行う。すなわち、ペダル部５は、ペダル部材５ｂの手前の端部が使用者により踏み込まれると、連結部１５が支点となってペダル部材５ｂが回動し、連結部材５ａと連結された端部が上がるとともに、連結部材５ａが上方に押し上げられる。従って、連結部材５ａに連結されている保持部４が、支柱部２の上端を軸として上方に回動するので、蓋Ｂ２が開く。
【００２４】
使用者が踏み込みをやめることによってペダル部材５ｂの手前の端部が開放されると、連結部１５が支点となって、ペダル部材５ｂの連結部材５ａと連結された端の部分が下がるとともに、連結部材５ａは下方に押し下げられ、保持部４は、支柱部２の上端を軸として下方に回動するので、蓋Ｂ２が閉まる。
【００２５】
これにより、手で触れることなく蓋Ｂ２の開閉を行うことが可能となるため、例えば医療用廃棄物を保持対象物に入れる場合など、蓋Ｂ２を手で開けることに衛生上の問題がある場合であっても、当該問題を解消することができる。さらに、手が荷物等でふさがっている場合でも蓋Ｂ２の開閉が可能となるので、利便性の向上を図ることができる。
【００２６】
［３．他の実施形態］
なお、本考案は上記実施形態に限定されるものではなく、その大きさ、形状、数量、材質等は適宜変更可能である。例えば、ボックススタンドの寸法は、小型のものから、大型のものまで想定され、持ち運び可能としても、固定的に設置することとしてもよい。また、脚部にキャスターをつけ、移動可能とすることも考えられる。
【００２７】
次に、支持部及び保持部の形状も自由である。例えば、上記実施形態においては、箱の形状は直方体となっているが、当該形状に限られず、円柱形等の箱であってもよく、支持部や保持部をこれに対応する形状とすることも可能である。
【００２８】
支持部、保持部及び脚部は、支柱部を中心として反対側にもこれらを設ける構成とすることもできる。また、支持部における幅方向にスライドするスライド部は、中心に固定部を設けて両側にスライド部を形成することとしてもよい。
【００２９】
また、スライド部の位置固定手段は、ネジに限られない。例えば、固定部や支柱部とスライド部の両方に縦方向一列に複数の穴をあけ、両部にあけられた穴が重なる位置に棒を差し込んで固定するなどの手段によっても良い。固定部及び支柱部とスライド部とのいずれか一方に複数段の溝を形成し、他方にこの溝に係合する係合部材を設け、スライド部のスライド移動に従って、いずれかの溝に係合部材が係合することにより、所望の位置で固定されるようにしてもよい。
【００３０】
ペダル部材は、直線形状のものに限られず、弧を描いた形状のものとしてもよい。また、ペダル部その他の各部に蛍光塗料などで色を付けることにより、暗がりにおいても確実に蓋の開閉が行えるようにする態様も考えられる。
【００３１】
上記実施形態においては、構成部材の一部に金属製のパイプを用いているが、材質は金属に限られず、木材や合成樹脂等を用いることも可能である。また、形状もパイプ状だけでなく、棒状や板状の部材を用いることとしてもよい。
【図面の簡単な説明】
【００３２】
【図１】本考案の一実施形態におけるボックススタンドの全体構成を示す斜視図。
【図２】図１の実施形態の正面図。
【図３】図１の実施形態の側面図。
【図４】図１の実施形態における支持部を示す分解斜視図。
【図５】図１の実施形態における保持部を示す斜視図。
【図６】図１の実施形態における脚部を示す斜視図。
【図７】図１の実施形態の使用例を示す斜視図。
【図８】図１の実施形態の他の使用例を示す斜視図。
【符号の説明】
【００３３】
１…脚部
１ａ，１ｂ，１ｂ’，１ｃ，１ｃ’…脚部材
２…支柱部
２ａ，２ｂ…支柱部材
３…支持部
３ａ，４ａ，４ｃ…固定部
３ｂ，４ｂ，２３…スライド部
４…保持部
５…ペダル部
５ａ…連結部材
５ｂ…ペダル部材
６ａ，６ｂ…ネジ
７…バネ
１２，１５…連結部
Ｂ１…箱
Ｂ２…蓋
【図１】
0003119341.tif 000003
【図２】
0003119341.tif 000004
【図３】
0003119341.tif 000005
【図４】
0003119341.tif 000006
【図５】
0003119341.tif 000007
【図６】
0003119341.tif 000008
【図７】
0003119341.tif 000009
【図８】
0003119341.tif 000010